(57)【特許請求の範囲】
【請求項１】
停弾装置であって、
標的の後方に配置され、被弾した弾丸の運動エネルギーを減衰させるためのシート体と、
前記シート体の被弾箇所が集中しないように前記シート体を移動させる移動手段とを備え、
前記シート体は上下に布設され、
前記移動手段は、前記シート体を上下のいずれか一方に移動させ、
回転自在の第１のローラ及び第２のローラが上下に配置され、
前記シート体は、前記第１のローラ及び前記第２のローラに架け渡すようにループ状に取付けられ、
前記移動手段は、前記第１のローラ及び前記第２のローラの少なくとも一方を回転させ、前後の前記シート体の損傷個所が重ならないように前記シート体の移動量を制御する、停弾装置。
【発明の詳細な説明】
【技術分野】
【０００１】
この発明は停弾装置に関し、特に警察官や自衛官の拳銃や小銃による射撃訓練が行われる射撃場にて用いられる停弾装置に関するものである。
【背景技術】
【０００２】
射撃場では、標的背面のバックストップには、弾丸を補足するために砂山構造とされているものが多い。しかしながら、このような構造では弾丸を回収するのに手間がかかるので、標的の後方に弾丸の貫通時のエネルギーを吸収するシート体を設けた停弾装置が提案されている。
【０００３】
図６は、特許文献１及び特許文献２等に開示されている従来の停弾装置の正面図であり、図７は図６のＶＩＩ−ＶＩＩラインの縮小側面図である。
【０００４】
これらの図を参照して、床面１６の上に支持台６２を介して設置された標的６１の後方に停弾装置が設置されている。すなわち、粘弾性素材や繊維素材又はこれらを組み合わせて形成された、矩形シート状のシート体６５が天井面１９から保持具６６を介して吊り下げられている。このシート体６５は標的６１の後方に配置され、同様のシート体が更に後方に所定間隔で設置されている。そして、後方の背面６８には、各シート体を貫通してきた弾丸７１が着弾しても損傷しないような厚さに設定された特殊鋼板６９が設置されている。
これによって、標的６１を貫通してきた弾丸７１は、複数のシート体６５によってその運動エネルギーが減衰して特殊鋼板６９に衝突する。その結果、弾丸７１は破損することなく、床面１６上に落下するため鉛成分が蒸発することなく、容易に回収される。
【先行技術文献】
【特許文献】
【０００５】
【特許文献１】特開平８−３３４２９７号公報
【特許文献２】特開２００９−２８１５９６号公報
【発明の概要】
【発明が解決しようとする課題】
【０００６】
しかしながら、上記のような停弾装置では、弾丸の回収としては効率的であるがシート体６５の使用の観点からは問題がある。
【０００７】
図８は、このような問題点を説明するためのシート体の概略側面図である。
【０００８】
図を参照して、その（１）に示されているように、通常の一定の技量を有する訓練者の使用時には弾丸は標的６１又はその周辺を貫通し、その２点鎖線で示すように後方のシート体６５を貫通することが多い。すると、図の（２）に示されているように、標的６１の後方のシート体６５への水平投影部分が損傷し易くなる。すなわち、その部分が被弾箇所２１となって多数の貫通孔が形成されることになる。この状態で使用を続けると、シート体６５のエネルギーの減衰効果が減少し、後方の特殊鋼板６９での捕捉に影響を与えることになる。そのため、シート体６５はある程度の使用がなされると、被弾箇所２１以外の部分がまだ使用できる状態であっても、シート体６５全体を交換せざるを得ず効率的な使用とは言えなかった。
【０００９】
この発明は上記のような課題を解決するためになされたもので、シート体の使用を効率的に行える停弾装置を提供することを目的とする。
【課題を解決するための手段】
【００１０】
上記の目的を達成するために、請求項１記載の発明は、停弾装置であって、標的の後方に配置され、被弾した弾丸の運動エネルギーを減衰させるためのシート体と、シート体の被弾箇所が集中しないようにシート体を移動させる移動手段とを備え、シート体は上下に布設され、移動手段は、シート体を上下のいずれか一方に移動させ、回転自在の第１のローラ及び第２のローラが上下に配置され、シート体は、第１のローラ及び第２のローラに架け渡すようにループ状に取付けられ、移動手段は、第１のローラ及び第２のローラの少なくとも一方を回転させ、前後のシート体の損傷個所が重ならないようにシート体の移動量を制御するものである。
【００１１】
このように構成すると、シート体における被弾箇所が変わる。又、被弾箇所は上下のいずれか一方に移動する。更に、第１のローラ及び第２のローラの一方の回転に応じて被弾箇所が所定量だけ移動する。
【発明の効果】
【００２６】
以上説明したように、請求項１記載の発明は、シート体の被弾箇所が変わるのでシート体の耐久性が向上する。又、被弾箇所は上下のいずれか一方に移動するのでシート体の別な箇所が新たな被弾箇所となる。更に、第１のローラ及び第２のローラの一方の回転に応じて被弾箇所が所定量だけ移動するので損傷個所が重ならず被弾時の吸収エネルギーのばらつきが抑制される。更に、損傷箇所が元の位置に戻る時にシート体を取り換えれば、効率的な使用となる。
【図面の簡単な説明】
【００３４】
【図１】この発明の第１の実施の形態による停弾装置の概略側面図である。
【図２】この発明の第２の実施の形態による停弾装置の概略側面図である。
【図３】この発明の第３の実施の形態による停弾装置の概略側面図である。
【図４】この発明の第４の実施の形態による停弾装置の概略側面図である。
【図５】この発明の第５の実施の形態による停弾装置の概略側面図である。
【図６】従来の停弾装置の概略正面図である。
【図７】図６のＶＩＩ−ＶＩＩラインの縮小側面図である。
【図８】従来の停弾装置の問題点を説明するためのシート体の概略側面図である。
【発明を実施するための形態】
【００３５】
図１はこの発明の第１の実施の形態による停弾装置の概略側面図であって、図７の従来の停弾装置におけるシート体の部分に対応する図である。尚、図１における停弾装置１１のシート体１３自体は従来例で示した図７のシート体６５と同一材料によるものであるので、ここではその相違点を中心に説明する。
【００３６】
図１の（１）を参照して、停弾装置１１において、シート体１３はその下方において第１のローラ１５に巻回されており、第１のローラ１５は床面１６に回転自在に設置されている。一方、シート体１３はその上方において天井面１９に設置された回転自在の第２のローラ１８に架け渡されており、その端部２３を標的（図示せず）側に対して後方に垂らした状態に設置されている。
【００３７】
図７で示したように射撃訓練が続くと、シート体１３における標的の後方部分及びその近傍が被弾箇所２１となり、被弾箇所２１には弾丸が集中して損傷し多くの貫通孔が形成される。この状態で訓練を続けることは、シート体１３の弾丸のエネルギーの吸収能力低下の観点から好ましいものではない。
【００３８】
そこで、被弾箇所２１が一定の損傷を受けると、図１の（２）に示すようにシート体１３の端部２３を下方に引き下ろすように力を加える。すると、シート体１３は第１のローラ１５から引き出され矢印のように移動する。その結果、被弾箇所２１は上方に移動し、標的の後方にはシート体１３の損傷を受けていない新たな箇所が配置され、所定のエネルギーの吸収能力を発揮することになる。すなわち、第１のローラ１５及び第２のローラ１８がシート体１３を移動させる移動手段を構成する。
【００３９】
このようにして、第１のローラ１５に巻回されているシート体１３がすべて引き出されるまでシート体１３を無駄なく効率的に使用することができるため、コスト的に有利な停弾装置１１となる。
【００４０】
図２はこの発明の第２の実施の形態による停弾装置の概略側面図であって、基本的には図１の実施の形態による停弾装置と共通するので、ここでは相違点について主に説明する。
【００４１】
図２の（１）を参照して、シート体１３の上方側は、図１のように第２のローラ１８の後方側に垂らす構成ではなく、第２のローラ１８自身に巻き取る構成となっている。そのためシート体１３の後方側が使用済のシート体１３で溢れることなく全体がコンパクトになり、使い勝手が向上する。
【００４２】
そして被弾箇所２１が一定の損傷を受けると、図２の（２）に示すように第２のローラ１８を矢印の方向に所定量だけ回転させてシート体１３を巻き取る。この巻き取りは手動でも自動でも良い。すると、シート体１３は第１のローラ１５から引き出され矢印のように移動する。その結果、被弾箇所２１は上方に移動し、標的の後方にはシート体１３の損傷を受けていない新たな箇所が配置され、所定のエネルギーの吸収能力を発揮することになる。すなわち、第１のローラ１５及び第２のローラ１８がシート体１３を移動させる移動手段を構成する。
【００４３】
又、第１のローラ１５からのシート体１３の引き出しが終了し、第２のローラ１８の巻き取りが完了すると、その状態で使用済のシート体１３を撤去し、新たなシート体に交換できるので使い勝手も向上する。尚、第２のローラ１８の巻き取りを自動化しておけば、射撃訓練を中断することなく継続的に停弾装置１１を使用できるので好ましい。
【００４４】
図３はこの発明の第３の実施の形態による停弾装置の概略側面図であって、基本的には図１の実施の形態による停弾装置と共通するので、ここでは相違点について主に説明する。
【００４５】
図３の（１）を参照して、シート体１３は回転自在の第１のローラ１５と回転自在の第２のローラ１８との間にループ状に設置されており、エンドレス構造となっている。そのため、停弾装置１１全体がコンパクトになると共に、弾丸は必ず前後一対のシート体１３を通過することになるので、エネルギーの吸収能力が増大する。
【００４６】
そして被弾箇所２１が一定の損傷を受けると、図３の（２）に示すように第１のローラ１５及び第２のローラ１８の少なくとも一方を矢印の方向に所定量だけ回転させてシート体１３を移動させる。この回転作業は手動でも自動でも良い。その結果、被弾箇所２１は上方に移動し、標的の後方にはシート体１３の損傷を受けていない新たな箇所が配置され、所定のエネルギーの吸収能力を発揮する。すなわち、第１のローラ１５及び第２のローラ１８がシート体１３を移動させる移動手段を構成する。尚、この場合、シート体１３の前後の損傷個所が重ならないようにシート体１３の移動量を制御しておけば、移動後のエネルギーの吸収能力のばらつきを抑制できるので好ましい。
【００４７】
又、シート体１３の移動によって被弾箇所２１がほぼ全面に形成されると、その状態で使用済のシート体１３を第１のローラ１５及び第２のローラ１８から外して撤去すれば良い。尚、第１のローラ１５及び第２のローラ１８の回転動作を自動化しておけば、射撃訓練を中断することなく継続的に停弾装置１１を使用できるので使い勝手も向上する。
【００４８】
図４はこの発明の第４の実施の形態による停弾装置の概略側面図であって、図７の従来の停弾装置におけるシート体の部分に対応する図である。尚、図４における停弾装置１１のシート体１３自体は従来例で示した図７のシート体６５と同一材料によるものであるので、ここではその相違点を中心に説明する。
【００４９】
図４の（１）を参照して、シート体１３の上方側は、ローラ２５に巻回されており、ローラ２５は天井面１９に対して回転自在に設置されている。一方、シート体１３の下方側は固定具２７を介して床面１６に固定されている。
【００５０】
そしてシート体１３の被弾箇所２１が一定の損傷を受けると、図４の（２）に示すように被弾箇所２１の上下２か所を幅方向に切断し、被弾箇所２１を含む削除部分２８をシート体１３から除去する。その結果、シート体１３はローラ２５側に巻回されている部分と固定具２７側に残ったシート体残存部分３０とに分離する。
【００５１】
次に、図４の（３）に示すように、ローラ２５側に残ったシート体１３の部分をローラ２５から矢印の方向に引き下ろし、シート体残存部分３０に対して接続箇所３２で接続してこれらを一体化する。その結果、被弾箇所２１はシート体１３から削除され、標的の後方にはシート体１３の損傷を受けていない新たな箇所が配置され、所定のエネルギーの吸収能力を発揮する。すなわち、ローラ２５及び固定具２７がシート体１３を移動させる移動手段を構成する。
【００５２】
この引き下ろし処理及び接続する処理はシート体１３のローラ２５からの引き出しが完了するまで繰り返すことができるので、無駄がなく使い勝手も向上する。
【００５３】
図５はこの発明の第５の実施の形態による停弾装置の概略側面図であって、図７の従来の停弾装置におけるシート体のみに対応する図である。尚、図５における停弾装置１１のシート体１３自体は従来例で示した図７のシート体６５と同一材料によるものであるので、ここではその相違点を中心に説明する。
【００５４】
図５の（１）に示すように、使用によってシート体１３の被弾箇所２１に損傷が生じるが、他の実施の形態とは異なり、この実施の形態では被弾箇所２１の位置を被弾の集中部分から移動させるものではない。
【００５５】
すなわち、図５の（２）に示すように、シート体１３と同材料よりなる補助シート体３５を前もって準備しておき、被弾箇所２１の前面を覆うようにシート体１３に取付ける。これによって、被弾箇所２１の部分は新たな補助シート体３５によって所定のエネルギーの吸収を発揮するシート体１３として再度使用することができる。
【００５６】
尚、補助シート体３５の代わりに被弾箇所２１に形成された貫通孔を、硬化後にシート体１３と同一の効果を発揮するような軟質の素材で塞ぐようにしても良い。
【００５７】
又、上記の各実施の形態にあっては、シート体は１枚で説明しているが、図７で示した従来例のように複数のシート体を所定間隔で配置するようにしても良い。
【００５８】
更に、上記の各実施の形態にあっては、シート体は従来例で示したシート体と同一の材料としているが、被弾した弾丸の運動エネルギーを減衰するものであれば、例えば、総ゴムのシート、樹脂シート及び繊維シート等の他の材料であっても良い。
【００５９】
更に、上記の第１から第４の実施の形態にあっては、シート体を上下の一方方向に移動させているが、上下の他方方向でも良く、又、方向は左右方向や斜め方向でも良い。
【００６０】
更に、上記の第１から第４の実施の形態にあっては、シート体の移動は特定方法によっているが、他の方法であっても良い。
【００６１】
更に、上記の第５の実施の形態にあっては、補助シート体をシート体の表面に取付けているが、シート体の裏面に取付けても良い。
【符号の説明】
【００６２】
１１…停弾装置
１３…シート体
１５…第１のローラ
１８…第２のローラ
２１…被弾箇所
２５…ローラ
２８…削除部分
３５…補助シート体    
尚、各図中同一符号は同一又は相当部分を示す。
【図１】
0006013014.tif 000002
【図２】
0006013014.tif 000003
【図３】
0006013014.tif 000004
【図４】
0006013014.tif 000005
【図５】
0006013014.tif 000006
【図６】
0006013014.tif 000007
【図７】
0006013014.tif 000008
【図８】
0006013014.tif 000009